(57)【要約】【課題】投影画像を安定化できる携帯電子機器、カメラおよび携帯電話機を提供する。【解決手段】投射部２２０から画像を投影する際に、撮像部１２０で撮像して得た画像の変化に基づいて、プロジェクタ機能に関する操作が行われるように構成した。これにより、ＰＪ付き電子カメラ１０に触れなくてもプロジェクタ機能に関する操作ができるので、ＰＪ付き電子カメラ１０の位置が動いて投影画像の投影位置や調整済みの投影画像のピントがずれてしまうことを防止できる。したがって、投影画像を安定化して、観察者に違和感を与えることを防止できる。また、プロジェクタ機能に関する操作指示に対応するアイコン１７２〜１７５，１９２，１９３を液晶表示器１０７に表示するように構成した。これにより、アイコン１７２〜１７５，１９２，１９３がユーザ（操作者）に対するガイドとなるので、プロジェクタ機能に関する操作を向上できる【選択図】図８
2008298819.tif 000002
【特許請求の範囲】
【請求項１】
被写体像を撮像して画像信号を出力する撮像装置と、
光像形成素子に形成された像を投射するプロジェクタ装置と、
前記画像信号の変化を検出する画像変化検出手段と、
前記撮像装置による撮影範囲のうち、前記画像信号の変化が検出された領域に応じて前記プロジェクタ装置の動作に関する指示を行う指示手段と、
前記撮像装置により撮像して得た画像を表示可能な表示装置と、
前記表示装置に表示させる表示内容を制御し、前記指示に対応する表示を前記表示装置に表示させる表示制御手段とを備えることを特徴とする携帯電子機器。
【請求項２】
請求項１に記載の携帯電子機器において、
前記表示制御手段は、前記撮像装置により撮像して得た画像を前記表示装置に表示させることを特徴とする携帯電子機器。
【請求項３】
請求項１に記載の携帯電子機器において、
前記表示制御手段は、前記光像形成素子に形成された像と同じ画像を前記表示装置に表示させることを特徴とする携帯電子機器。
【請求項４】
請求項１に記載の携帯電子機器において、
前記表示制御手段は、前記光像形成素子に形成された像と同じ画像を前記撮像装置により撮像して得た画像に合成して前記表示装置に表示させることを特徴とする携帯電子機器。
【請求項５】
請求項１〜４のいずれか一項に記載の携帯電子機器において、
前記撮像装置は、前記プロジェクタ装置が投影する像の少なくとも一部を含む領域を撮像することを特徴とする携帯電子機器。
【請求項６】
請求項１に記載の携帯電子機器において、
前記撮像装置は、前記プロジェクタ装置が投影する像を含まない領域を撮像することを特徴とする携帯電子機器。
【請求項７】
請求項１〜６のいずれか一項に記載の携帯電子機器において、
前記撮像装置は、それぞれ異なる領域を撮像する第１および第２の撮像装置を有することを特徴とする携帯電子機器。
【請求項８】
請求項１〜７のいずれか一項に記載の携帯電子機器と、
前記撮像装置で撮像して得た前記被写体像の画像信号を処理して記録する画像信号処理記録手段とを備えることを特徴とするカメラ。
【請求項９】
請求項１〜７のいずれか一項に記載の携帯電子機器と、
基地局との間で無線により通信可能な通信手段とを備えることを特徴とする携帯電話機。
【発明の詳細な説明】
【技術分野】
【０００１】
本発明は、画像の投影機能を有する携帯電子機器、カメラおよび携帯電話機に関する。
【背景技術】
【０００２】
被写体像の撮影機能と、画像の投影機能とを備えた電子機器として、プロジェクタを備えたカメラが知られている（たとえば、特許文献１参照）。プロジェクタはカメラ本体に組み込まれており、プロジェクタ用の投影光学系を用いて画像をスクリーンに投影するように構成されている。
【０００３】
【特許文献１】特開２００６−２２２５４７号公報
【発明の開示】
【発明が解決しようとする課題】
【０００４】
しかしながら、プロジェクタによる画像投影中に操作ボタンを操作するためには、机上などに置かれたカメラ本体にユーザが直接触れなければならず、カメラの位置が動いて投影画像の投影位置がずれてしまうなどの問題がある。
【課題を解決するための手段】
【０００５】
（１）  請求項１の発明による携帯電子機器は、被写体像を撮像して画像信号を出力する撮像装置と、光像形成素子に形成された像を投射するプロジェクタ装置と、画像信号の変化を検出する画像変化検出手段と、撮像装置による撮影範囲のうち、画像信号の変化が検出された領域に応じてプロジェクタ装置の動作に関する指示を行う指示手段と、撮像装置により撮像して得た画像を表示可能な表示装置と、表示装置に表示させる表示内容を制御し、指示に対応する表示を表示装置に表示させる表示制御手段とを備えることを特徴とする。
（２）  請求項２の発明は、請求項１に記載の携帯電子機器において、表示制御手段は、撮像装置により撮像して得た画像を表示装置に表示させることを特徴とする。
（３）  請求項３の発明は、請求項１に記載の携帯電子機器において、表示制御手段は、光像形成素子に形成された像と同じ画像を表示装置に表示させることを特徴とする。
（４）  請求項４の発明は、請求項１に記載の携帯電子機器において、表示制御手段は、光像形成素子に形成された像と同じ画像を撮像装置により撮像して得た画像に合成して表示装置に表示させることを特徴とする。
（５）  請求項５の発明は、請求項１〜４のいずれか一項に記載の携帯電子機器において、撮像装置は、プロジェクタ装置が投影する像の少なくとも一部を含む領域を撮像することを特徴とする。
（６）  請求項６の発明は、請求項１に記載の携帯電子機器において、撮像装置は、プロジェクタ装置が投影する像を含まない領域を撮像することを特徴とする。
（７）  請求項７の発明は、請求項１〜６のいずれか一項に記載の携帯電子機器において、撮像装置は、それぞれ異なる領域を撮像する第１および第２の撮像装置を有することを特徴とする。
（８）  請求項８の発明によるカメラは、請求項１〜７のいずれか一項に記載の携帯電子機器と、撮像装置で撮像して得た被写体像の画像信号を処理して記録する画像信号処理記録手段とを備えることを特徴とする。
（９）  請求項９の発明による携帯電話機は、請求項１〜７のいずれか一項に記載の携帯電子機器と、基地局との間で無線により通信可能な通信手段とを備えることを特徴とする。
【発明の効果】
【０００６】
本発明によれば、投影画像を安定化することができる。
【発明を実施するための最良の形態】
【０００７】
図１〜１１を参照して、本発明によるカメラの一実施の形態を説明する。図１は、本発明によるプロジェクタ付き電子カメラ（以下、ＰＪ付き電子カメラと呼ぶ）を斜め前方から見た図である。図１において、ＰＪ付き電子カメラ１０の正面には、撮影レンズ１１と、照明光窓１２と、プロジェクタ投射窓１３とが設けられている。ＰＪ付き電子カメラ１０の上面には、レリーズボタン１４と、ズームスイッチ１６と、モード切替ダイヤル１５と、メインスイッチ２２とが設けられている。
【０００８】
図２は、図１のＰＪ付き電子カメラ１０を斜め後方から見た図である。図２において、ＰＪ付き電子カメラ１０の背面には、液晶表示器１７と、操作部材１９と、スピーカ孔２０とが設けられている。
【０００９】
ＰＪ付き電子カメラ１０は、机上などに載置された状態でＰＪ付き電子カメラ１０の正面側に配設されるスクリーンなどに向けて、内蔵する投射部（プロジェクタ）による画像などの投影情報をプロジェクタ投射窓１３から投影する。ＰＪ付き電子カメラ１０はスピーカ孔２０の裏側にスピーカ２１を内蔵しており、音声などの情報をＰＪ付き電子カメラ１０の後方へ向けて再生する。
【００１０】
モード切り替えダイヤル１５は、撮影モードや投影モードなどのＰＪ付き電子カメラ１０の動作モードを切り替えるためのモード切り替え操作部材である。撮影モードは、被写体像を撮影し、撮影した画像データをメモリカードなどで構成される記録媒体に画像ファイルとして保存する動作モードである。撮影開始指示は、レリーズボタン１４の押下操作に応じて出力される操作信号が対応する。ＰＪ付き電子カメラ１０は、撮影時に被写体を照明する照明装置を内蔵する。撮影モードでは、スピーカ２１とともにスピーカ孔２０の裏側に内蔵されているマイクによって音声を集音し、その音声データを記録媒体に保存することも可能に構成されている。
【００１１】
投影モードは、撮影済みの画像データを記録媒体（たとえば、後述するメモリカード１５０や内部メモリ）から読出すなどして、画像データによる再生画像を投射部によってプロジェクタ投射窓１３から投影する動作モードである。音声データが記録されている場合にはスピーカ２１から音声再生も行う。投影ソースとしては、記録媒体に記録されているデータの他に、内部メモリに記録されているデータなどが選択可能である。投射部は、投影ソースの中から選択されたデータによる再生画像を投影する。複数のデータが選択された場合、投射部は、画像を順次切り替えて複数の画像データの再生画像を投影する。
【００１２】
ＰＪ付き電子カメラ１０には、レンズ鏡筒Ｐをカメラ筐体内に沈胴させる沈胴機構が設けられているが、プロジェクタ投射窓１３から投影された光が撮影レンズ１１のレンズ鏡筒Ｐでけられることがないように構成されている。
【００１３】
図３は、ＰＪ付き電子カメラ１０の回路構成を説明するブロック図である。図３においてＰＪ付き電子カメラ１０は、投射部２２０と、撮像部１２０と、ＣＰＵ１０１と、メモリ１０２と、操作部材１０３と、液晶表示器１０４と、スピーカ１０５と、マイク１０６と、電源回路１０８とを有する。不図示のカードスロットには、メモリカード１５０が実装されている。メモリカード１５０は着脱可能である。また、不図示の電池ホルダに電池１０９が実装される。
【００１４】
ＣＰＵ１０１は、制御プログラムに基づいてＰＪ付き電子カメラ１０を構成する各部から入力される信号を用いて所定の演算を行うなどして、ＰＪ付き電子カメラ１０の各部へ制御信号を送出することにより、撮影動作および投影動作の制御を行う。ＣＰＵ１０１はＡＳＩＣ（ Application Specific Integrated Circuit ）より構成される。なお、制御プログラムはＣＰＵ１０１内の不図示の不揮発性メモリに格納されている。
【００１５】
メモリ１０２はＣＰＵ１０１の作業用メモリとして使用される。操作部材１０３は、図１におけるメインスイッチ２２、レリーズボタン１４、ズームスイッチ１６、モード切り替えダイヤル１５、および図２の操作部材１９に対応する。操作部材１０３は、それぞれの操作内容に応じた操作信号をＣＰＵ１０１へ送出する。
【００１６】
メモリカード１５０はフラッシュメモリなどの不揮発性メモリによって構成され、ＣＰＵ１０１からの指示により撮像部１２０で撮影された画像のデータ書き込み、保存および読み出しが可能である。
【００１７】
電源回路１０８は、ＣＰＵ１０１からの指示によりオン／オフされ、オン時に電池１０９による電圧を各回路で必要な電圧に変換し、ＰＪ付き電子カメラ１０の各部へ電力を供給する。なお、ＣＰＵ１０１は、電源回路１０８のオン／オフ状態にかかわらず、電池１０９が装填されると常に通電されるように構成されている。
【００１８】
液晶表示器１０４（図２において符号１７に対応）は、ＣＰＵ１０１の指示により画像などの情報を表示する。なお、液晶表示器１０４は、撮像して得られた画像や各種のメニュー画面を表示する表示モニタとして働くほか、撮像時に、被写体の画像（スルー画）を表示する電子ファインダとして働く。スルー画は、本撮影の前段階として後述する撮像素子で繰り返し取得される予備撮影画像である。スピーカ１０５（図２において符号２１に対応）は、ＣＰＵ１０１から出力される音声データによる音声を再生する。
【００１９】
マイク１０６は、集音した音声を電気信号に変換してＣＰＵ１０１へ送出する。音声信号のデータは、撮影モード時にメモリカード１５０に記録される。
【００２０】
−−−撮像部−−−
撮像部１２０は、撮影光学系１２１（図１において符号１１に対応）と、撮像素子１２２と、レンズ駆動部１２３と、撮影制御回路１２４と、鏡筒沈胴機構１２５とを含む。撮像素子１２２としては、たとえばＣＣＤが用いられる。撮影制御回路１２４は、ＣＰＵ１０１からの指示により撮像素子１２２およびレンズ駆動部１２３を駆動制御するとともに、撮像素子１２２から出力される撮像信号（蓄積電荷信号）に対して所定の画像処理を行う。
【００２１】
撮影光学系１２１は、撮像素子１２２の撮像面上に被写体像を結像させる。撮影制御回路１２４は、撮影開始指示に応じて撮像素子１２２に撮像を開始させ、撮像終了後に撮像素子１２２から蓄積電荷信号を読出し、上記画像処理を施した上で画像データとしてＣＰＵ１０１へ送出する。
【００２２】
レンズ駆動部１２３は、撮影制御回路１２４から出力されるフォーカス調節信号に基づいて、撮影光学系１２１を構成するフォーカスレンズ（不図示）を光軸方向に進退駆動する。また、レンズ駆動部１２３は、撮影制御回路１２４から出力されるズーム調節信号に基づいて、撮影光学系１２１を構成するズームレンズ（不図示）を光軸方向（望遠側もしくは広角側）へ進退駆動する。フォーカス調節量およびズーム調節量は、ＣＰＵ１０１から撮影制御回路１２４へ指示される。
【００２３】
−−−投射部−−−
投射部２２０は、投影光学系２２１と、液晶パネル２２２と、ＬＥＤ（発光ダイオード）光源２２３と、レンズ駆動部２２４と、投射制御回路２２５とを含む。投射制御回路２２５は電流可変回路部を有し、ＣＰＵ１０１から出力される投影指示に応じてＬＥＤ光源２２３へ供給される駆動電流の電流量を制御する。ＬＥＤ光源２２３は、供給電流に応じた明るさで液晶パネル２２２を照明する。
【００２４】
投射制御回路２２５はさらに、ＣＰＵ１０１から送出される画像データに応じて液晶パネル駆動信号を生成し、生成した駆動信号で液晶パネル２２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源２２３からの光を変調することにより、液晶パネル２２２が光像を生成（形成）する。
【００２５】
投影光学系２２１は、液晶パネル２２２から射出される光像をスクリーンなどへ向けて投影する。レンズ駆動部２２４は、投射制御回路２２５から出力されるフォーカス調節信号に基づいて、投影光学系２２１を構成するフォーカスレンズ（不図示）を光軸方向へ進退駆動する。レンズ駆動部２２４はさらに、投射制御回路２２５から出力されるズーム調節信号に基づいて、投影光学系２２１を構成するズームレンズ（不図示）を光軸方向へ進退駆動する。フォーカス調節量およびズーム調節量は、ＣＰＵ１０１から投射制御回路２２５へ指示される。
【００２６】
−−−撮像機能を利用したプロジェクタ機能の操作について−−−
本実施の形態のＰＪ付き電子カメラ１０では、操作部材１０３の操作の他、撮像部１２０の撮像範囲にユーザが指や手などを置くことで、以下のようにプロジェクタ機能に関する操作を行うことができる。すなわち、本実施の形態のＰＪ付き電子カメラ１０では、撮像機能を利用してプロジェクタ機能に関して操作可能である。
【００２７】
撮像機能を利用したプロジェクタ機能の操作についての具体的な説明に先立って、投射部２２０からの投影画像と撮像部１２０の撮像範囲との関係について説明する。図４は、ＰＪ付き電子カメラ１０の正面のスクリーン３０１に投射部２２０から画像を投射（投影）した状態を示す図である。図４において、３１１は投射部２２０からスクリーン３０１に投影された画像（投影画像の範囲）を示す。
【００２８】
図５（ａ），（ｂ）は、スクリーン３０１に投影された投影画像３１１と、広角側に設定された撮像部１２０による撮像範囲との関係を示す図であり、図５（ａ）はスクリーン３０１の側面から見たときの図であり、図５（ｂ）はスクリーン３０１の正面から見たときの図である。図５（ｂ）において、３２１は撮像部１２０の撮像範囲である。図５（ａ），（ｂ）に示すように、広角側に設定されると、撮像部１２０の撮像画角が投射部２２０の投影画角よりも広くなるため、ＰＪ付き電子カメラ１０とスクリーン３０１とが所定の距離以上離れれば、撮像部１２０はスクリーン３０１に投影された投影画像３１１よりも広い範囲を撮像できる。なお、本実施の形態のＰＪ付き電子カメラ１０では、プロジェクタ投射窓１３がレンズ鏡筒Ｐの上方に設けられているため、投影画像３１１の中心位置は、撮像範囲３２１の中心位置よりも高くなる。
【００２９】
図６（ａ），（ｂ）は、スクリーン３０１に投影された投影画像３１１と、望遠側に設定された撮像部１２０による撮像範囲との関係を示す図であり、図６（ａ）はスクリーン３０１の側面から見たときの図であり、図６（ｂ）はスクリーン３０１の正面から見たときの図である。図６（ａ），（ｂ）に示すように、望遠側に設定されると、撮像部１２０の撮像画角が投射部２２０の投影画角よりも狭くなるため、撮像部１２０はスクリーン３０１に投影された投影画像３１１の範囲よりも狭い範囲しか撮像できない。
【００３０】
また、上述したように、投影画像３１１の中心位置が撮像範囲３２１の中心位置よりも高いため、ＰＪ付き電子カメラ１０とスクリーン３０１との距離が近いと（たとえば図６（ａ）の距離Ｌ１）、撮像部１２０は、投影画像３１１よりも下側の領域を主に撮像することになる。ＰＪ付き電子カメラ１０とスクリーン３０１との距離が図６（ａ）のＬ１，Ｌ２，Ｌ３・・・と離れるほど、撮像部１２０はスクリーン３０１に投影された投影画像３１１を主に撮像することになる。なお、図６（ｂ）に示す図は、ＰＪ付き電子カメラ１０とスクリーン３０１との距離が図６（ａ）における距離Ｌ２に略等しい場合に相当する。
【００３１】
−−−撮像画角が広角側に設定された場合−−−
本実施の形態のＰＪ付き電子カメラ１０では、モード切り替えダイヤル１５の操作によって投影モードに切り替えられ、かつ、撮像画角が広角側に設定されるとＣＰＵ１０１が次のように各部を制御する。ＣＰＵ１０１は、操作部材１０３であるモード切り替えダイヤル１５からの出力信号に基づいて、投影モードに切り替えられたと判断すると、たとえばメモリカード１５０に記録されている複数の画像のデータのうち、最も新しい画像のデータを読み込み、投射部２２０から画像を投影するよう各部を制御する。
【００３２】
また、ＣＰＵ１０１は、撮像部１２０を起動して、ＰＪ付き電子カメラ１０の前方を撮像させるとともに、撮像部１２０で撮像して得た画像（スルー画）を液晶表示器１７に表示させる。また、ＣＰＵ１０１は、操作部材１０３である不図示のズーム操作ボタンからの出力信号に基づいて、撮影光学系１２１を構成する不図示のズームレンズを光軸方向へ進退駆動するよう撮影制御回路１２４に制御信号を出力する。
【００３３】
撮影制御回路１２４は、ＣＰＵ１０１から受信した制御信号に基づいて、レンズ駆動部１２３にズーム調節信号を出力する。また、撮影制御回路１２４は、たとえば公知のコントラスト検出方式のＡＦ制御演算を行い、ピント調節を行うようレンズ駆動部１２３に制御信号を出力する。なお、ＡＦ制御演算の方式はコントラスト検出方式に限らず、ＡＦ測距センサによる位相差検出方式や、コントラスト検出方式と位相差検出方式を組み合わせたハイブリッド方式など、様々な方式であってもよい。
【００３４】
ＣＰＵ１０１は、投射制御回路２２５から投影光学系２２１の投影画角に関する情報を取得する。またＣＰＵ１０１は、撮影制御回路１２４からＡＦ制御演算によって得られた被写体（たとえばスクリーン３０１）までの距離に関する情報と、現在の撮像光学系１２１の撮像画角（以下、現在撮像画角Ａと呼ぶ）の情報を取得する。そして、ＣＰＵ１０１は、取得した投影画角に関する情報およびスクリーン３０１までの距離に関する情報に基づいて、スクリーン３０１に投影される画像の全体を撮像可能な撮像光学系１２１の撮像画角（以下、算出撮像画角Ｂと呼ぶ）を算出する。
【００３５】
ＣＰＵ１０１は、上述した現在撮像画角Ａと算出撮像画角Ｂとを比較して、現在撮像画角Ａが算出撮像画角Ｂよりも所定角度以上大きいか否かを判断する。すなわち、ＣＰＵ１０１は、図５（ａ），（ｂ）に示すように、スクリーン３０１に投影された投影画像３１１よりも所定範囲だけ広い範囲を（投影画像３１１よりもひと回り広い範囲を）撮像部１２０で撮像しているか否かを判断する。ＣＰＵ１０１は、現在撮像画角Ａが算出撮像画角Ｂよりも所定角度以上大きいと判断されると、図７（ａ），（ｂ）に示すように、撮像部１２０で撮像して得た画像１７０と、プロジェクタ機能の操作に関するアイコン１７２〜１７５とを液晶表示器１７に重畳的に表示させる。
【００３６】
撮像部１２０で撮像して得た画像１７０には、スクリーン３０１に投影された投影画像３１１と、投影画像３１１の周囲とが含まれている。画像１７１は、画像１７０中の投影画像３１１の画像を指す。アイコン１７２は、画像１７１の右側に表示されて、投射部２２０から投影される画像の１コマ送りを意味する三角形状のアイコンである。アイコン１７３は、画像１７１の左側に表示されて、投射部２２０から投影される画像の１コマ戻しを意味する三角形状のアイコンである。アイコン１７４は、画像１７１の上側に表示されて、投射部２２０から投影される画像の拡大（投影画角の増加）を意味するアイコンである。アイコン１７５は、画像１７１の下側に表示されて、投射部２２０から投影される画像の縮小（投影画角の減少）を意味するアイコンである。
【００３７】
本実施の形態のＰＪ付き電子カメラ１０では、ＰＪ付き電子カメラ１０の前方で、撮像部１２０の撮像範囲内にたとえばユーザの指が置かれると、図８に示すように、その置かれた指（指Ｆ）が撮像素子１２２で撮像される。そして、投影画像３１１の画像１７１やアイコン１７２〜１７５とともに指Ｆの画像１７９が液晶表示器１７に表示される。
【００３８】
ＰＪ付き電子カメラ１０では、図８に示すようにアイコン１７２の近傍で指Ｆの画像１７９が表示されると、投射部２２０から投影される画像が１コマだけ送られる。同様に、アイコン１７３の近傍で指Ｆの画像１７９が表示されると、投射部２２０から投影される画像が１コマだけ戻される。また、アイコン１７４の近傍で指Ｆの画像１７９が表示されると、投射部２２０から投影される画像が拡大され、アイコン１７５の近傍で指Ｆの画像１７９が表示されると、投射部２２０から投影される画像が縮小される。
【００３９】
すなわち、ＣＰＵ１０１は、撮像素子１２２で撮像して得られたスルー画を順次読み込んで、撮像素子１２２から出力される画像信号の変化を検出する。そして、ＣＰＵ１０１は、検出した画像信号の変化に基づいてスクリーン３０１に投影された投影画像３１１よりも右側部分の画像に変化があるか否かを判断する。たとえば撮像範囲内に指が置かれるなどして、スクリーン３０１に投影された投影画像３１１よりも右側部分の画像のうち、所定の画素数以上の領域に変化があると判断されると、ＣＰＵ１０１は、投射部２２０から投影される画像を１コマだけ送るよう、各部を制御する。
【００４０】
同様に、スクリーン３０１に投影された投影画像３１１よりも左側部分の画像のうち、所定の画素数以上の領域に変化があると判断されると、ＣＰＵ１０１は、投射部２２０から投影される画像を１コマだけ戻すよう、各部を制御する。スクリーン３０１に投影された投影画像３１１よりも上側部分の画像のうち、所定の画素数以上の領域に変化があると判断されると、ＣＰＵ１０１は、投射部２２０から投影される画像を拡大するよう、各部を制御する。スクリーン３０１に投影された投影画像３１１よりも下側部分の画像のうち、所定の画素数以上の領域に変化があると判断されると、ＣＰＵ１０１は、投射部２２０から投影される画像を縮小するよう、各部を制御する。
【００４１】
具体的には、ＣＰＵ１０１は、図９に示すように、撮像素子１２２で撮像して得られたスルー画のうち、画像１７１よりも右側の領域であって、アイコン１７２の周囲を破線で囲んだ領域（斜線部分）１８２の画像の変化を監視する。ＣＰＵ１０１は、領域１８２の画像のうち、所定の画素数以上の領域に変化があると判断されると、投射部２２０から投影される画像を１コマだけ送るよう指示されたものと判断する。そして、ＣＰＵ１０１は、たとえば、メモリカード１５０から画像データを読み込んで投射部２２０から画像を投影している場合、現在投影している画像のデータよりも１コマだけ新しい画像のデータをメモリカード１５０から読み込んで、投射部２２０から画像を投影するように各部を制御する。なお、ＣＰＵ１０１は、領域１８２に上述のように変化があると判断された後、領域１８２の画像が元に戻り（たとえば指Ｆが撮像されなくなった）、その後再び領域１８２に上述のように変化があると判断されると、さらに１コマだけ新しい画像を投射部２２０から投影するように各部を制御する。
【００４２】
同様に、ＣＰＵ１０１は、図９に示すスルー画のうち、画像１７１よりも左側の領域であって、アイコン１７３の周囲を破線で囲んだ領域（斜線部分）１８３の画像の変化を監視する。ＣＰＵ１０１は、領域１８３の画像のうち、所定の画素数以上の領域に変化があると判断されると、投射部２２０から投影される画像を１コマだけ戻すよう指示されたものと判断する。そして、ＣＰＵ１０１は、たとえば、メモリカード１５０から画像データを読み込んで投射部２２０から画像を投影している場合、現在投影している画像のデータよりも１コマだけ古い画像のデータをメモリカード１５０から読み込んで、投射部２２０から画像を投影するように各部を制御する。なお、ＣＰＵ１０１は、領域１８３に上述のように変化があると判断された後、領域１８３の画像が元に戻り（たとえば指Ｆが撮像されなくなった）、その後再び領域１８３に上述のように変化があると判断されると、さらに１コマだけ古い画像を投射部２２０から投影するように各部を制御する。
【００４３】
ＣＰＵ１０１は、図９に示すスルー画のうち、画像１７１よりも上側の領域であって、アイコン１７４の周囲を破線で囲んだ領域（斜線部分）１８４の画像の変化を監視する。ＣＰＵ１０１は、領域１８４の画像のうち、所定の画素数以上の領域に変化があると判断されると、投射部２２０から投影される画像を拡大するよう指示されたものと判断する。そして、ＣＰＵ１０１は、投影画角を広げるように投射制御回路２２５へ制御信号（画角拡大指示信号）を出力する。なお、ＣＰＵ１０１は、領域１８４に所定の画素数以上の領域に変化があると判断されている間（たとえば指Ｆが撮像されている間）は、画角拡大指示信号を出力し続ける。
【００４４】
同様に、ＣＰＵ１０１は、図９に示すスルー画のうち、画像１７１よりも下側の領域であって、アイコン１７５の周囲を破線で囲んだ領域（斜線部分）１８５の画像の変化を監視する。ＣＰＵ１０１は、領域１８５の画像のうち、所定の画素数以上の領域に変化があると判断されると、投射部２２０から投影される画像を縮小するよう指示されたものと判断する。そして、ＣＰＵ１０１は、投影画角を狭めるように投射制御回路２２５へ制御信号（画角縮小指示信号）を出力する。なお、ＣＰＵ１０１は、領域１８５に所定の画素数以上の領域に変化があると判断されている間（たとえば指Ｆが撮像されている間）は、画角縮小指示信号を出力し続ける。
【００４５】
上述の説明では、所定の画素数以上の領域に変化があるか否かを判断している。なお、これは、投影画像３１１の周囲にたとえば虫が飛んできたといった場合のように、画像１７１の周囲の領域の画像の予期せぬ僅かな変化によってプロジェクタ機能がユーザの意に反して操作されることを防止するようにしても構わない。
【００４６】
なお、上述の説明では、ユーザ（操作者）がＰＪ付き電子カメラ１０の背面に配設された液晶表示器１７を見ながらＰＪ付き電子カメラ１０の前面側の撮像範囲内に指Ｆを置くことになる。撮像部１２０のピントは、上述したピント調節機能により、被写体であるスクリーン３０１またはスクリーン３０１上に投影された投影画像３１１に合わされることとなる。そのため、スクリーン３０１までの距離が近ければ、すなわち、スクリーン３０１がユーザの指Ｆの届く範囲内にあれば、ユーザが指Ｆをスクリーン３０１上に置くことができるので、指Ｆが撮像部１２０で鮮明に撮像されることとなる。したがって、上述したように、ＣＰＵ１０１は、所定の画素数以上の領域に変化があるか否かを判断できる。
【００４７】
スクリーン３０１までの距離が遠ければ、すなわち、スクリーン３０１がユーザの指Ｆの届く範囲内になければ、ユーザが指Ｆをスクリーン３０１上に置くことができないので、指Ｆはぼやけた状態で撮像されることとなる。しかし、この場合であっても、ユーザが指Ｆを撮像部１２０の撮像範囲内に置くことで、図９に示したスルー画の各領域１８２〜１８５に所定の画素数以上の変化を与えることができる。したがって、スクリーン３０１がユーザの指Ｆの届く範囲内になくても、上述したように、ＣＰＵ１０１は、所定の画素数以上の領域に変化があるか否かを判断できる。
【００４８】
このように、本実施の形態のＰＪ付き電子カメラ１０では、ＰＪ付き電子カメラ１０の前方に指Ｆが置かれることなどによってプロジェクタ機能に関する操作を指示できる。また、本実施の形態のＰＪ付き電子カメラ１０では、当該指示に対応する表示（アイコン１７２〜１７５）を液晶表示器１７に表示している。すなわち、液晶表示器１７に表示されるアイコン１７２〜１７５と、プロジェクタ機能に関する操作内容とが一致しているので、指Ｆを置く位置や操作の内容が直感的に理解し易くなっている。
【００４９】
−−−撮像画角が望遠側に設定された場合−−−
なお、本実施の形態のＰＪ付き電子カメラ１０では、モード切り替えダイヤル１５の操作によって投影モードに切り替えられ、かつ、撮像画角が望遠側に設定されるとＣＰＵ１０１が次のように各部を制御する。ＣＰＵ１０１は、操作部材１０３であるモード切り替えダイヤル１５からの出力信号に基づいて、投影モードに切り替えられたと判断すると、上述の場合と同様に、たとえばメモリカード１５０に記録されている複数の画像のデータのうち、最も新しい画像のデータを読み込み、投射部２２０から画像を投影するよう各部を制御する。
【００５０】
また、ＣＰＵ１０１は、上述の場合と同様に、撮像部１２０を起動して、ＰＪ付き電子カメラ１０の前方を撮像させるとともに、撮像部１２０で撮像して得た画像（スルー画）を液晶表示器１７に表示させる。また、ＣＰＵ１０１は、操作部材１０３である不図示のズーム操作ボタンからの出力信号に基づいて、撮影光学系１２１を構成する不図示のズームレンズを光軸方向へ進退駆動するよう撮影制御回路１２４に制御信号を出力する。
【００５１】
撮影制御回路１２４は、上述の場合と同様に、ＣＰＵ１０１から受信した制御信号に基づいて、レンズ駆動部１２３にズーム調節信号を出力する。また、撮影制御回路１２４は、たとえば公知のコントラスト検出方式のＡＦ制御演算を行い、ピント調節を行うようレンズ駆動部１２３に制御信号を出力する。
【００５２】
ＣＰＵ１０１は、投射制御回路２２５から投影光学系２２１の投影画角に関する情報を取得する。またＣＰＵ１０１は、撮影制御回路１２４からＡＦ制御演算によって得られた被写体（たとえばスクリーン３０１）までの距離に関する情報と、現在撮像画角Ａを取得する。そして、ＣＰＵ１０１は、取得した投影画角に関する情報およびスクリーン３０１までの距離に関する情報に基づいて、図６（ｂ）に示すように、スクリーン３０１に投影される画像３１１の下部の一部と、画像３１１よりも下側の部分とを撮像可能な撮像光学系１２１の撮像画角（以下、算出撮像画角Ｃと呼ぶ）を算出する。
【００５３】
ＣＰＵ１０１は、上述した現在撮像画角Ａと算出撮像画角Ｃとを比較して、現在撮像画角Ａが算出撮像画角Ｃを含む所定の角度範囲内に入っているか否かを判断する。すなわち、ＣＰＵ１０１は、図６（ｂ）に示すように、スクリーン３０１に投影される画像３１１の下部の一部と、画像３１１よりも下側の部分とを撮像しているか否かを判断する。ＣＰＵ１０１は、現在撮像画角Ａが算出撮像画角Ｃを含む所定の角度範囲内に入っていると判断されると、図１０（ａ），（ｂ）に示すように、撮像部１２０で撮像して得た画像１７０と、プロジェクタ機能の操作に関するアイコン１９２，１９３とを液晶表示器１７に重畳的に表示させる。
【００５４】
図１０（ｂ）は、図１０（ａ）における液晶表示器１７の表示部分の拡大図である。１７６は、画像３１１よりも下側の部分の画像である。アイコン１９２は、画像１７０の右側に重畳的に表示されて、投射部２２０から投影される画像の１コマ送りを意味する三角形状のアイコンである。アイコン１９３は、画像１７０の右側に重畳的に表示されて、投射部２２０から投影される画像の１コマ戻しを意味する三角形状のアイコンである。１９４は、液晶表示器１７の表示部分の左右方向略中央に表示された中央線である。
【００５５】
本実施の形態のＰＪ付き電子カメラ１０では、ＰＪ付き電子カメラ１０の前方で、撮像部１２０の撮像範囲内にたとえばユーザの指が置かれると、図１１に示すように、その置かれた指Ｆが撮像素子１２２で撮像される。そして、画像１７１やアイコン１９２，１９３などとともに指Ｆの画像１７９が液晶表示器１７に表示される。
【００５６】
ＰＪ付き電子カメラ１０では、中央線１９４の右側の領域で指Ｆの画像１７９が表示されると、投射部２２０から投影される画像が１コマだけ送られる。同様に、中央線１９４の左側の領域で指Ｆの画像１７９が表示されると、投射部２２０から投影される画像が１コマだけ戻される。
【００５７】
具体的には、ＣＰＵ１０１は、撮像素子１２２で撮像して得られたスルー画を順次読み込んで、スルー画の中央よりも右側部分（スルー画右側領域）に所定の画素数以上の領域に変化があると判断されると、投射部２２０から投影される画像を１コマだけ送るよう指示されたものと判断する。そして、ＣＰＵ１０１は、たとえば、メモリカード１５０から画像データを読み込んで投射部２２０から画像を投影している場合、現在投影している画像のデータよりも１コマだけ新しい画像のデータをメモリカード１５０から読み込んで、投射部２２０から画像を投影するように各部を制御する。なお、ＣＰＵ１０１は、スルー画右側領域に上述のように変化があると判断された後、スルー画右側領域の画像が元に戻り（たとえば指Ｆが撮像されなくなった）、その後再びスルー画右側領域に上述のように変化があると判断されると、さらに１コマだけ新しい画像を投射部２２０から投影するように各部を制御する。
【００５８】
同様に、ＣＰＵ１０１は、撮像素子１２２で撮像して得られたスルー画を順次読み込んで、スルー画の中央よりも左側部分（スルー画左側領域）に所定の画素数以上の領域に変化があると判断されると、投射部２２０から投影される画像を１コマだけ戻すよう指示されたものと判断する。そして、ＣＰＵ１０１は、たとえば、メモリカード１５０から画像データを読み込んで投射部２２０から画像を投影している場合、現在投影している画像のデータよりも１コマだけ古い画像のデータをメモリカード１５０から読み込んで、投射部２２０から画像を投影するように各部を制御する。なお、ＣＰＵ１０１は、スルー画左側領域に上述のように変化があると判断された後、スルー画左側領域の画像が元に戻り（たとえば指Ｆが撮像されなくなった）、その後再びスルー画左側領域に上述のように変化があると判断されると、さらに１コマだけ古い画像を投射部２２０から投影するように各部を制御する。
【００５９】
このように、本実施の形態のＰＪ付き電子カメラ１０では、撮像画角が望遠側に設定された場合であっても、ＰＪ付き電子カメラ１０の前方に指Ｆを置くことなどによってプロジェクタ機能に関する操作を指示できる。また、本実施の形態のＰＪ付き電子カメラ１０では、当該指示に対応する表示（アイコン１９２，１９３）を液晶表示器１７に表示している。すなわち、液晶表示器１７に表示されるアイコン１９２，１９３と、プロジェクタ機能に関する操作内容とが一致しているので、指Ｆを置く位置や操作の内容が直感的に理解し易くなっている。さらに、撮像画角が望遠側に設定されることによって、撮像範囲が狭まるので、投影画像３１１の左右や上方に動きのある被写体が存在していても、その被写体の動きによってプロジェクタ機能がユーザの意に反して操作されることを防止できる。
【００６０】
なお、現在撮像画角Ａが算出撮像画角Ｂよりも所定角度以上大きい場合や、現在撮像画角Ａが算出撮像画角Ｃに近い場合について説明したが、それ以外の場合には従来どおり、操作部材１９の操作によってコマ送り／コマ戻しや投影画像の拡大／縮小が行われる。
【００６１】
上述したＰＪ付き電子カメラ１０では、次の作用効果を奏する。
（１）  投射部２２０から画像を投影する際に、撮像部１２０で撮像して得た画像の変化に基づいて、プロジェクタ機能に関する操作が行われるように構成した。これにより、ＰＪ付き電子カメラ１０に触れなくてもプロジェクタ機能に関する操作ができるので、ＰＪ付き電子カメラ１０の位置が動いて投影画像の投影位置や調整済みの投影画像のピントがずれてしまうことを防止できる。したがって、投影画像を安定化して、観察者に違和感を与えることを防止できる。
【００６２】
（２）  プロジェクタ機能に関する操作指示に対応するアイコン１７２〜１７５，１９２，１９３を液晶表示器１０７に表示するように構成した。これにより、アイコン１７２〜１７５，１９２，１９３がユーザ（操作者）に対するガイドとなるので、プロジェクタ機能に関する操作を向上できる。
【００６３】
（３）  投射部２２０から投影する画像３１１を一部に含みつつ、画像３１１の周囲の領域を撮像部１２０で撮像するように構成し、画像３１１の周囲の領域に指Ｆなど置くことによってプロジェクタ機能に関する操作が可能となるように構成した。これにより、スクリーン３０１に投影される画像３１１に指Ｆなどの影を落とすことなくプロジェクタ機能に関する操作ができるので、画像３１１の観察者に違和感を与えない。
【００６４】
（４）  撮像部１２０で撮像して得たスルー画と、アイコン１７２〜１７５，１９２，１９３とを重畳的に液晶表示器１０７に表示するように構成した。これにより、液晶表示器１０７を観察することで操作者がどこに指Ｆを置けばよいか、また、置いた指Ｆが実際にはどのように撮像されているのかを直感的に理解できるので、プロジェクタ機能に関する操作を容易化できる。
【００６５】
（５）  撮像画角が望遠側に設定された場合であっても、ＰＪ付き電子カメラ１０の前方に指Ｆを置くことなどによってプロジェクタ機能に関する操作を指示できるように構成した。撮像画角が望遠側に設定されることによって、撮像範囲が狭まるので、投影画像３１１の左右や上方に動きのある被写体が存在していても、その被写体の動きによってプロジェクタ機能がユーザの意に反して操作されることを防止できる。
【００６６】
（６）  撮像画角が望遠側に設定された際には、スクリーン３０１に投影される画像３１１の下部の一部と、画像３１１よりも下側の部分とを撮像している場合に、撮像画像の右半分側、または左半分側に指Ｆが置かれると、投影される画像のコマ送り／コマ戻しが行われるように構成した。これにより、たとえば、周囲が暗く、指Ｆの位置が分かり難い場合に、投影画像の投影画角内に僅かに指を入れて、投射部２２０からの投射光によって指Ｆを照らすことができるので、操作性が向上する。また、撮像画角が望遠側に設定されることで、置かれた指Ｆを液晶表示器１０７に大きく表示できるので、操作性が向上する。
【００６７】
（７）  撮像素子１２２で撮像して得られたスルー画を順次読み込んで、スルー画の所定の領域に所定の画素数以上の領域に画像の変化があると判断されると、プロジェクタ機能に関する指示がされたものと判断するように構成した。すなわち、指Ｆを置くことなどをしなければ画像にほとんど変化がないと判断される領域の画像を監視して、当該領域に所定の画素数以上の領域に変化があるか否かを判断するように構成した。これにより、画像解析処理のように、対象物を特定するなどの複雑な処理を行わなくてもよいので、ＣＰＵ１０１の処理負荷を低減できる。したがって、処理のアルゴリズムを簡略化できるので、処理の信頼性を高めることができる。また、必要以上に高スペックのＣＰＵを採用しなくても済むので、製造コストを抑制できる。
【００６８】
−−−変形例−−−
（１）  上述の説明では、撮像部１２０の撮像範囲に指Ｆを置くことでプロジェクタ機能に関する操作を行うように構成しているが、本発明はこれに限定されない。指Ｆは一例であり、指Ｆの代わりにペンや鉛筆などを置いてもよく、撮像素子１２２で撮像される所定の画素数以上の領域に変化があるように何らかの物を置いてもよい。また、撮像部１２０の撮像範囲に指Ｆなどを置く代わりに、レーザポインタなどでスクリーン３０１上に照射された光を撮像素子１２２で撮像することで、プロジェクタ機能に関する操作が行われるようにしてもよい。この場合には、たとえば、ＣＰＵ１０１が、図９に示す領域１８２に所定の輝度以上の高輝度の点が出現したと判断されると、投射部２２０から投影される画像を１コマだけ送るよう指示されたものと判断するなど、高輝度の点の有無を判断してプロジェクタ機能に関する操作が行われるように構成してもよい。
【００６９】
（２）  上述の説明では、撮像部１２０の撮像範囲に指Ｆなどが置かれたか否かを判断するように構成しているが、本発明はこれに限定されない。たとえば、撮像部１２０の撮像範囲に指Ｆなどが置かれただけではなく、その指Ｆなどが所定時間以上動いていると判断されたときにプロジェクタ機能に関する操作が行われるように構成してもよい。すなわち、撮像素子１２２で撮像される所定の画素数以上の画素で所定時間以上動きが検出されたときにプロジェクタ機能に関する操作が行われるように構成してもよい。
【００７０】
（３）  上述の説明では、撮像画角が広角側に設定された場合および撮像画角が望遠側に設定された場合の双方で、撮像部１２０の撮像範囲に指Ｆを置くことでプロジェクタ機能に関する操作を行うように構成しているが、撮像画角が広角側に設定された場合および撮像画角が望遠側に設定された場合のいずれか一方のみであってもよい。
【００７１】
（４）  上述の説明では、撮像画角が望遠側に設定されることで撮像範囲を狭めているが、本発明はこれに限定されない。たとえば、撮像画角が広角側に設定された状態であっても、撮像されて得られた画像の一部を切り出して、たとえば、図１０（ａ），（ｂ）に示すように液晶表示器１０７に表示させ、撮像画角が望遠側に設定された場合と同様にプロジェクタ機能に関する操作が行われるように構成してもよい。
【００７２】
（５）  上述の説明では、撮像部１２０の撮像範囲に指Ｆなどを置くことで操作可能なプロジェクタ機能の一例として、コマ送り／コマ戻しや投影画像の拡大／縮小を挙げて説明しているが、本発明はこれに限定されない。コマ送り／コマ戻しや投影画像の拡大／縮小以外にも、たとえば、投影開始や投影終了の操作を行うように構成してもよく、投影画像のピント調整や明るさ調整などの投影機能に関する調整を行うように構成してもよい。
【００７３】
（６）  上述の説明では、ＰＪ付き電子カメラ１０における投射部２２０の投影方向と、撮像部１２０の撮像方向（被写体が存在する方向）がいずれもＰＪ付き電子カメラ１０の前方であるが、本発明はこれに限定されない。たとえば、投射部２２０の投影方向と、撮像部１２０の撮像方向とが異なっていてもよい。すなわち、投射部２２０の投影する画像を含まない領域を撮像部１２０が撮像するように構成してもよい。この場合であっても、操作者は、撮像部１２０の撮像範囲に指Ｆなどを置くことでプロジェクタ機能に関する操作が可能であり、操作者から液晶表示器１０７を視認可能であれば、置いた指Ｆが実際にはどのように撮像されているのかを直感的に理解できるので、上述した作用効果と同様の作用効果を奏する。
【００７４】
また、投射部２２０の投影方向と、撮像部１２０の撮像方向とが異なっている場合には、画像の投影時に撮像部１２０の撮像方向に向けて補助光を照射するようにしてもよい。画像の投影時に撮像部１２０の撮像方向に向けて補助光を照射することで、周囲が暗い環境下でも、指Ｆがはっきりと撮像されるので確実にプロジェクタ機能に関する操作ができる。なお、この場合の補助光の光源として、赤外線などのように、撮像素子１２２が感度を有する不可視光を発する光源を用いれば、投影画像の観察者に違和感を与えることがない。
【００７５】
（７）  上述の説明では、ＰＪ付き電子カメラ１０は、いわゆるコンパクトタイプのデジタルカメラであるが、一眼レフタイプのデジタルカメラであってもよい。また、図１２，１３に示すように、カメラボディに対して撮像光学系を回動可能に構成したいわゆるスイバルタイプのデジタルカメラであってもよい。スイバルタイプのデジタルカメラ５００は、本体部５１０と鏡筒部５２０とを有している。本体部５１０と鏡筒部５２０とは、不図示の連結機構により回転可能に連結されている。図１２（ａ）は、本体部５１０に対して鏡筒部５２０を回転させていない状態の非使用状態を示している。図１２（ｂ）は、本体部５１０に対して鏡筒部５２０を９０度回転した撮影／投射状態を示している。
【００７６】
通常、ユーザは、本体部５１０のグリップ部分を握ってカメラ５００を保持し、カメラ背面に設けられた液晶表示器１７（図１３参照）を見ながら撮影を行う。図１３はカメラ５００の背面側を示す図である。本体部５１０の背面には、液晶表示器１７の他に、種々の操作を行うための操作ボタン５０２が設けられている。図１２，１３に示したカメラ５００では、鏡筒部５２０に撮像部１２０と投射部２２０とを備え、上述したＰＪ付き電子カメラ１０と同様に、投射部２２０は撮像部１２０で撮像する被写体の位置する方向と同じ方向に画像を投影（投射）する。そのため、上述した作用効果を同様の作用効果を奏する。
【００７７】
図１４は、カメラ５００とは投射部２２０の画像投影方向が異なるスイバルタイプのデジタルカメラ６００の外観を示す図である。カメラ６００は、撮像部１２０で撮像する被写体の位置する方向とは反対の方向に投射部２２０が画像を投影する。図１４（ａ）は、カメラ６００の前方を撮像（後方に画像を投影）するように鏡筒部５２０を回動させた状態を示す図であり、図１４（ｂ）は、カメラ６００の後方を撮像（前方に画像を投影）するように鏡筒部５２０を回動させた状態を示す図である。このカメラ６００の場合には、図１４（ｂ）に示すように鏡筒部５２０を回動させて、図１５（ａ）〜（ｄ）に示すように、カメラ６００の前方に画像を投影させ、カメラ６００の後方に位置するユーザが、液晶表示器１７の表示を見ながらプロジェクタ機能に関して操作できる。なお、図１５（ａ），（ｃ）は、カメラ６００およびカメラ６００の後方に位置するユーザを上方から見たときの図である。図１５（ｂ）は、図１５（ａ）の場合における液晶表示器１７の表示内容を示す図であり、図１５（ｄ）は、図１５（ｃ）の場合における液晶表示器１７の表示内容を示す図である。
【００７８】
たとえば図１５（ａ）に示すように、カメラ６００の後方で、たとえばカメラ６００の近くに位置するユーザの胸部から腹部辺りを撮像するように、撮像画角がたとえば広角側に設定されると、図１５（ｂ）に示すように、撮像部１２０で撮像して得た画像の鏡像５７０と、プロジェクタ機能の操作に関するアイコン１９２，１９３と、中央線１９４とが液晶表示器１７に重畳的に表示される。カメラ６００では、図１５（ａ），（ｂ）に示すように、中央線１９４の右側の領域に表示されている右手ＲＨがたとえば上下に動かされると、投射部２２０から投影される画像が１コマだけ送られる。同様に、図１５（ｃ），（ｄ）に示すように、中央線１９４の左側の領域に表示されている左手ＬＨがたとえば上下に動かされると、投射部２２０から投影される画像が１コマだけ戻される。
【００７９】
具体的には、ＣＰＵ１０１は、撮像素子１２２で撮像して得られたスルー画を順次読み込んで、スルー画の中央よりも左側部分（スルー画左側領域）で所定の画素数以上の領域に所定時間以上動く領域があると判断されると、投射部２２０から投影される画像を１コマだけ送るよう指示されたものと判断する。そして、ＣＰＵ１０１は、たとえば、メモリカード１５０から画像データを読み込んで投射部２２０から画像を投影している場合、現在投影している画像のデータよりも１コマだけ新しい画像のデータをメモリカード１５０から読み込んで、投射部２２０から画像を投影するように各部を制御する。なお、ＣＰＵ１０１は、上述の判断の後、スルー画左側領域の画像に動く領域がなくなり（たとえば右手ＲＨが動かされなくなった）、その後再びスルー画左側領域に上述のように変化があると判断されると、さらに１コマだけ新しい画像を投射部２２０から投影するように各部を制御する。
【００８０】
同様に、ＣＰＵ１０１は、撮像素子１２２で撮像して得られたスルー画を順次読み込んで、スルー画の中央よりも右側部分（スルー画右側領域）に所定の画素数以上の領域に所定時間以上動く領域があると判断されると、投射部２２０から投影される画像を１コマだけ戻すよう指示されたものと判断する。そして、ＣＰＵ１０１は、たとえば、メモリカード１５０から画像データを読み込んで投射部２２０から画像を投影している場合、現在投影している画像のデータよりも１コマだけ古い画像のデータをメモリカード１５０から読み込んで、投射部２２０から画像を投影するように各部を制御する。なお、ＣＰＵ１０１は、上述の判断の後、スルー画右側領域の画像に動く領域がなくなり（たとえば左手ＬＨが動かされなくなった）、その後再びスルー画右側領域に上述のように変化があると判断されると、さらに１コマだけ古い画像を投射部２２０から投影するように各部を制御する。
【００８１】
なお、撮像部１２０で撮像して得た画像と、液晶表示器１７で表示される画像（鏡像５７０）とは、左右が反転している。したがって、ＣＰＵ１０１でスルー画左側領域で所定の画素数以上の領域に変化があると判断された場合の動作、および、スルー画右側領域で所定の画素数以上の領域に変化があると判断された場合の動作は、上述した実施の形態における「撮像画角が望遠側に設定された場合」とは逆の動作となる。
【００８２】
このように、カメラ６００では、上述した実施の形態における「撮像画角が望遠側に設定された場合」と同様の作用効果を奏する。さらに、カメラ６００では、ユーザが、カメラ６００の背面の液晶表示器１７を見ながら、カメラ６００の前方に手を伸ばして差し出すような動作をしなくてもよい。すなわち、自分の腹部近傍など、手を持っていきやすいところに手を持っていて動かすだけでプロジェクタ機能に関する操作を行えるので、楽な姿勢で簡単に操作ができ、操作性を向上できる。
【００８３】
（８）  上述の説明では、メモリカード１５０や内部メモリから画像データを読み出して
投射部２２０から画像を投影しているが、本発明はこれに限定されない。たとえば、外部の機器と接続可能なインターフェースを設け、このインターフェースを介してＰＪ付き電子カメラ１０の外部から供給される画像データなどを投影するように構成してもよい。
【００８４】
（９）  上述の説明では、カメラについて説明したが、本発明はカメラに限定されず、被写体像の撮像機能と、画像の投影機能とを備えた各種の携帯電子機器であれば、たとえば、携帯電話機や、ＰＤＡなど、様々な携帯電子機器に適用できる。なお、携帯電話機やＰＤＡなどでは、それぞれ異なる範囲を撮像するメインカメラおよびサブカメラが設けられたものがある。このような携帯電話機やＰＤＡの場合には、メインカメラおよびサブカメラのいずれか一方で指Ｆや手などを撮像することでプロジェクタ機能に関する操作を行うようにしてもよく、上述した作用効果と同様の作用効果を奏する。また、メインカメラおよびサブカメラの双方で指Ｆや手などを撮像することでプロジェクタ機能に関する操作が可能となるように構成すれば、たとえば本体の背面側に位置するユーザと、たとえば本体の正面側に位置する観察者との双方でプロジェクタ機能に関する操作が可能となる。
【００８５】
（１０）  上述の説明では、撮像部１２０で撮像して得たスルー画（画像１７０）と、プロジェクタ機能の操作に関するアイコン１７２〜１７５，１９２，１９３とを液晶表示器１７に重畳的に表示させているが、本発明はこれに限定されない。たとえば、図１６（ａ）に示す、投射部２２０から投影される画像と同じ画像３１２（すなわちメモリカード１５０から読み込んだデータに基づく画像）と、図１６（ｂ）に示す、アイコン１７２〜１７５の画像とを合成して、図１６（ｃ）に示すように、液晶表示器１７に表示させてもよい。このように構成した場合には、撮像部１２０で撮像して得たスルー画は液晶表示器１７には表示されないため、ユーザの指Ｆなどは、液晶表示器１７には表示されない。しかし、液晶表示器１７に表示されている画像３１２とアイコン１７２〜１７５との位置関係から、スクリーン３０１上の投影画像３１１の近傍でプロジェクタ機能の操作のために指Ｆなどをどこに置くべきかが直感的に理解できるので、上述した作用効果と同様の作用効果を奏する。
【００８６】
また、図１７（ａ）に示す、撮像部１２０で撮像して得たスルー画（画像１７０）から、図１７（ｂ）に示すように投影画像３１１の画像（画像１７１）を削除した画像１７０ａのデータを生成する。そして、この画像１７０ａに対して、画像１７１の存在していた領域に、投射部２２０から投影される画像と同じ画像３１２（図１７（ｃ））をメモリカード１５０から読み込んだデータに基づいて合成する。また、画像１７０ａに対して、図１７（ｄ）に示す、アイコン１７２〜１７５の画像を合成する。このようにして、図１７（ｅ）に示すように、投影画像３１１の画像（画像１７１）の代わりに、メモリカード１５０から読み込んだデータに基づく画像３１２を液晶表示器１７に表示するように構成してもよい。このように構成した場合には、撮像部１２０で撮像して得たスルー画のうち、投影画像３１１の周囲の領域については液晶表示器１７に表示されるため、ユーザの指Ｆなどは、液晶表示器１７に表示されることとなる。したがって、上述した作用効果と同様の作用効果を奏する。
【００８７】
（１１）上述した各実施の形態および変形例は、それぞれ組み合わせてもよい。
【００８８】
なお、本発明は、上述した実施の形態のものに何ら限定されず、被写体像を撮像して画像信号を出力する撮像装置と、光像形成素子に形成された像を投射するプロジェクタ装置と、画像信号の変化を検出する画像変化検出手段と、撮像装置による撮影範囲のうち、画像信号の変化が検出された領域に応じてプロジェクタ装置の動作に関する指示を行う指示手段と、撮像装置により撮像して得た画像を表示可能な表示装置と、表示装置に表示させる表示内容を制御する表示制御手段とを備え、表示制御手段は、指示に対応する表示を表示装置に表示させることを特徴とする各種構造の携帯電子機器を含むものである。
【図面の簡単な説明】
【００８９】
【図１】本発明によるプロジェクタ付き電子カメラ（ＰＪ付き電子カメラ）１０を斜め前方から見た図である。
【図２】ＰＪ付き電子カメラ１０を斜め後方から見た図である。
【図３】ＰＪ付き電子カメラ１０の回路構成を説明するブロック図である。
【図４】ＰＪ付き電子カメラ１０の正面のスクリーン３０１に投射部２２０から画像を投影した状態を示す図である。
【図５】スクリーン３０１に投影された投影画像３１１と、広角側に設定された撮像部１２０による撮像範囲との関係を示す図である。
【図６】スクリーン３０１に投影された投影画像３１１と、望遠側に設定された撮像部１２０による撮像範囲との関係を示す図である。
【図７】撮像画角が広角側に設定された場合の、撮像部１２０で撮像して得た画像１７０と、プロジェクタ機能の操作に関するアイコン１７２〜１７５とについて説明する図である。
【図８】プロジェクタ機能の操作について説明する図である。
【図９】アイコン１７２〜１７５の周囲の領域１８２〜１８５について説明する図である。
【図１０】撮像画角が望遠側に設定された場合の、撮像部１２０で撮像して得た画像１７０と、プロジェクタ機能の操作に関するアイコン１９２，１９３とについて説明する図である
【図１１】プロジェクタ機能の操作について説明する図である。
【図１２】変形例を示す図である。
【図１３】変形例を示す図である。
【図１４】変形例を示す図である。
【図１５】変形例におけるプロジェクタ機能の操作について説明する図である。
【図１６】変形例を示す図である。
【図１７】変形例を示す図である。
【符号の説明】
【００９０】
１０  プロジェクタ付き電子カメラ（ＰＪ付き電子カメラ）
１１  撮影レンズ                            １３  プロジェクタ投射窓
１７  液晶表示器                            １０１  ＣＰＵ
１２０  撮像部                              １２２  撮像素子
１２４  撮影制御回路                        １５０  メモリカード
２２０  投射部                              ２２２  液晶パネル
２２５  投射制御回路
１７２〜１７５，１９２，１９３  アイコン
５００，６００  デジタルカメラ（カメラ）
【図１】
2008298819.tif 000003
【図２】
2008298819.tif 000004
【図３】
2008298819.tif 000005
【図４】
2008298819.tif 000006
【図５】
2008298819.tif 000007
【図６】
2008298819.tif 000008
【図７】
2008298819.tif 000009
【図８】
2008298819.tif 000010
【図９】
2008298819.tif 000011
【図１０】
2008298819.tif 000012
【図１１】
2008298819.tif 000013
【図１２】
2008298819.tif 000014
【図１３】
2008298819.tif 000015
【図１４】
2008298819.tif 000016
【図１５】
2008298819.tif 000017
【図１６】
2008298819.tif 000018
【図１７】
2008298819.tif 000019